(57)【要約】【課題】製造コストを低いものにできるとともに他の装置に装着するに際して差し込み易いディスク装置を提供すること。【解決手段】ディスクを回転するディスク回転駆動手段、ディスクに記録された情報を再生する再生手段及びこの再生手段をディスクに対して相対的に移動させる移動手段を備えた本体部と、この本体部を覆う外装ケース２とを備え、この外装ケース２を、本体部と対向配置される天板部３ａと、この天板部３ａの後端縁から緩やかに傾斜して折り曲げられ本体部の後端部を覆う折曲部３ｃとを有する構成とする。他の装置のスロットに差し込む際に、折曲部３ｃがいわばガイドの役割を果たすことになり、その上、ケースとして使用される板金の部位が少なくて済む。【選択図】　　　図４
2004110960.tif 000002
【特許請求の範囲】
【請求項１】
ディスクを回転するディスク回転駆動手段、前記ディスクに記録された情報を再生する再生手段及びこの再生手段を前記ディスクに対して相対的に移動させる移動手段を有する本体部と、この本体部を覆う外装ケースとを備え、
この外装ケースは、前記本体部と対向配置される平面部と、この平面部の後端縁から緩やかに傾斜して折り曲げられ前記本体部の後端部を覆う折曲部とを有することを特徴とするディスク装置。
【請求項２】
請求項１に記載のディスク装置において、
前記本体部は外部から電気や信号を送受信するケーブルが着脱可能に接続されるコネクタ部を備え、このコネクタ部の近傍に前記折曲部が位置するとともに、前記折曲部の表面には、前記コネクタ部の情報を表示する表示部が形成されていることを特徴とするディスク装置。
【請求項３】
請求項１又は請求項２に記載のディスク装置において、
前記平面部は前記本体部の上方を覆う天板部であり、前記折曲部は前記平面部から下方に向けて折り曲げ形成されていることを特徴とするディスク装置。
【請求項４】
請求項１〜請求項３のいずれかに記載のディスク装置において、
前記折曲部は平板状に形成されていることを特徴とするディスク装置。
【発明の詳細な説明】
【０００１】
【発明の属する技術分野】
本発明は、本体部を外装ケースで覆うディスク装置に関する。
【０００２】
【従来技術】
従来、例えばＤＶＤ（Ｄｉｇｉｔａｌ　Ｖｅｒｓａｔｉｌｅ　Ｄｉｓｋ）やＣＤ（Ｃｏｍｐａｃｔ　Ｄｉｓｃ）等の光ディスクを再生あるいは記録・再生するディスク装置が広く利用されている。このティスク装置としては、例えば図１に示すような構成が知られている。
【０００３】
図１に示すディスク装置１０１は、金属製の一面が開口する略箱状の外装ケース１０２を有しており、この外装ケース１０２内には合成樹脂製の枠体１０３が設けられている。
この枠体１０３には、それぞれ図示しない、光ディスクを回転させるディスク回転駆動手段と、光ディスクに情報を記録あるいは記録された情報を再生する光センサを有した再生手段と、この再生手段を光ディスクに対して相対的に移動させる図示しない移動手段とを有した本体部が配設されている。
【０００４】
枠体１０３には、光ディスクを載置して開口する外装ケース１０２の一面から進退可能に移動する図示しないディスクトレイが配設されており、このディスクトレイが配設される位置とは反対側にはコネクタ部１０４が設けられている。
このコネクタ部１０４は、外部から電気や信号を送受信する図示しないケーブルが着脱可能に接続されるものであり、種類の異なる複数個が横に並んで配設されている。
【０００５】
外装ケース１０２は、下ケース１０５と、この下ケース１０５の上部に設けられ縦横高さ寸法がＬ１×Ｌ２×Ｌ３の上ケース１０６と、化粧板１０７とを備えており、この上ケース１０６は、天板部１０６ａと、この天板部１０６ａの両側縁から直角に折り曲げ形成された側板部１０６ｂと、天板部１０６ａの後端から直角に折り曲げ形成され幅寸法がＬ４の端板部１０６ｃと、化粧板１０７を係止する係止板部１０６ｄとを備えて略箱状に形成されている。
この端板部１０６ｃの表面には、コネクタ部１０４に関する情報（例えば、接続するケーブルの種類）が表示されている。
下ケース１０５や上ケース１０６は、耐熱性を考慮して金属製材料が用いられており、その製造にあたり、平面矩形状の板金をカットした後、所定位置を折り曲げることで形成されている。
例えば、上ケース１０６は、図２に示すような縦寸法Ｍ１（Ｍ１＝Ｌ１＋Ｌ２＋Ｌ５；Ｌ５は係止板部１０６ｄの突出代）と横寸法Ｍ２（Ｍ２＝２×Ｌ３＋Ｌ２）との矩形状の板金から所定の形状にカットし、このカットされた板金の想像線の部分を折り曲げて形成される。
【０００６】
【発明が解決しようとする課題】
しかしながら、図１に示すような構造のディスク装置１０１では、上ケース１０６が所定形状にカットされた板金を直角に折り曲げて形成するものであるため、上ケース１０６として使用する板金の部位が大きくなり、そのため、製造コストが高いものになるということが課題の１つとされている。
つまり、天板部１０６ａ及び側板部１０６ｂの大きさは本体部自体の面積や高さ寸法で決定されるものであり、端板部１０６ｃの幅寸法はコネクタに関する情報が表示される面積との関係で決定されるものであるので、使用する板金の部位を少なくするにも限界がある。
【０００７】
また、他の装置、例えば、タワー型コンピュータに装着するに際して、そのスロットにディスク装置１０１を差し込むことがあるが、通常、ディスク装置１０１を、コネクタ部１０４側からスロットに差し込むが、コネクタ部１０４側は端板部１０６ｃと天板部１０６ａとは直角に形成されて鋭い角部となっているので、この角部をスロットの開口端部に当ててしまい、スムーズな装着ができないという課題もある。
【０００８】
本発明の目的は、製造コストを低いものにできるとともに他の装置に装着するに際して差し込み易いディスク装置を提供することにある。
【０００９】
【課題を解決するための手段】
請求項１に記載のディスク装置は、ディスクを回転するディスク回転駆動手段、前記ディスクに記録された情報を再生する再生手段及びこの再生手段を前記ディスクに対して相対的に移動させる移動手段を有する本体部と、この本体部を覆う外装ケースとを備え、この外装ケースは、前記本体部と対向配置される平面部と、この平面部の後端縁から緩やかに傾斜して折り曲げられ前記本体部の後端部を覆う折曲部とを有することを特徴とする。
【００１０】
【発明の実施の形態】
以下、本発明の一実施形態を図面に基づいて説明する。
〔ディスク装置の構造〕
図３は、本実施形態のディスク装置を示す分解斜視図である。
図３において、ディスク装置１は、本体部２０と、この本体部２０を覆う外装ケース２とを有している。
この外装ケース２は、下面及び前面が２面に亘って開口する金属製の上ケース３と、この上ケース３の下面を閉塞する金属製の下ケース４と、上ケース３の前面を閉塞する合成樹脂製の化粧板５とを有している。
【００１１】
図４はディスク装置１の斜視図であり、図５は上ケース３の展開図である。
図４及び図５に示すように、上ケース３は、平面部としての天板部３ａと、天板部３ａの長手方向の両側縁に略垂直に折曲形成された側板部３ｂと、天板部３ａの長手方向の後端縁から緩やかな角度αを以て下方に向けて折り曲げ形成され本体部２０の後端部を覆う折曲部３ｃと、化粧板５を係止する係止板部３ｆにて、下面及び前面を開口して形成されている。
天板部３ａは、本体部２０と対向配置されており、縦横寸法Ｌ６×Ｌ２の長方形に形成されている。
側板部３ｂは上端縁の長さ寸法がＬ６であり、下端縁の長さ寸法がＬ１であり、高さ寸法がＬ３である。折曲部３ｃは、幅寸法がＬ７であり、横寸法がＬ２である。
【００１２】
ここで、角度αは鈍角（９０°＜α＜１８０°）である。αは任意の角度を選択可能であるが、望ましくは、１２０°＜α＜１５０°である。
天板部３ａと折曲部３ｃとが角度αで折り曲げられているため、側板部３ｂの折曲部３ｃ側は斜めに切欠き形成されている。
折曲部３ｃは平板状に形成されており、その下端縁と天板部３ａとの間の高さ寸法はＬ４である。折曲部３ｃと下ケース４との間には開口部４ｃが形成されている（図６（Ａ）参照）。
【００１３】
この上ケース３の側板部３ｂの下端縁には、複数箇所、例えば２箇所内方に向けて折曲形成され図示しないねじ孔が穿設された取付片部３ｄが設けられている。
折曲部３ｃの略中央には、略スリット上の複数の排気口（図示せず）が設けられている。
これらの天板部３ａ、側板部３ｂ、折曲部３ｃ、取付片部３ｄ及び係止板部３ｆは図５に示す所定形状の板金を折り曲げて形成される。
【００１４】
図３に示す通り、下ケース４は、本体部２０の平面部と略同形状の長方形平板状に形成されている。
この下ケース４には、上ケース３の取付片部３ｄに対応して上方に向けて膨出するように屈曲されねじ孔４ａが穿設された取付ダボ４ｂが設けられている。
下ケース４は平面矩形状の板金をカットし、このカットした板金を折り曲げて略平板状に形成されており、その内面には、後述する回路基板８１の電気部品８２に対応する位置に、例えばシリコンゴムなどの熱伝導性、絶縁性及び弾力性を有した放熱部材９１が取り付けられている。
【００１５】
化粧板５は、例えばアクリロニトリル−ブタジエン−スチレン（ＡＢＳ；Ａｃｒｙｌｏｎｉｔｒｉｌｅ−Ｂｕｔａｄｉｅｎｅ−Ｓｔｙｒｅｎｅ）などの合成樹脂製の略板状に形成されている。この化粧板５には、一面に略垂直に突出され、先端部にそれぞれ上ケース３の側板部３ｂ及び下ケース４に係脱可能に係合する図示しない係合爪部が突設されている。
また、化粧板５には、長手方向となる左右方向に長手状の窓部５ａが開口形成されている。さらに、化粧板５には、スイッチ操作部５ｂと、動作確認窓５ｃとが設けられている。
【００１６】
外装ケース２内には、剛性及び絶縁性を有した例えばＡＢＳなどの合成樹脂製の枠体１１が配設されている。
この枠体１１は、上ケース３の側板部３ｂの内面に密着する側面部１１ａと、上ケース３の折曲部３ｃの内面に密着する後端面部１１ｂと、側面部１１ａ及び後端面部１１ｂの内面側に内方に向けて突出する支持リブ１１ｃと、側面部１１ａの後端面部１１ｂと反対側の端部に架橋するように設けられた開閉駆動配設部１１ｄとを有し、軸方向の両端面を開口する略四角枠状に形成されている。
また、枠体１１の側面部１１ａには、上ケース３の取付片部３ｄ及び下ケース４の取付ダボ４ｂ間に挾持されてねじ止めされる取付リブ部１１ｅが設けられている。
【００１７】
本体部２０は枠体１１に配設されており、例えば金属製の平板枠状に形成された台座部２１を有している。
この台座部２１の一縁には、回動案内部２２が一体的に取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１１の側面部１１ａから突出する支持リブ１１ｃに回動可能に軸支される一対の回動腕部２２ｂとを有している。そして、台座部２１は、回動案内部２２により、回動が案内される。
【００１８】
台座部２１には、回動する一縁側に位置してディスク回転駆動手段２５が配設されている。このディスク回転駆動手段２５は、例えばスピンドルモータなどの回転用電動モータ（図示せず）と、この回転用電動モータの出力軸に一体的に設けられたターンテーブル２７とを有している。
このターンテーブル２７は、光ディスク２８の中心に開口形成された軸孔２８ａに嵌挿する略円柱状の回転軸２７ａと、この回転軸２７ａの外周面にフランジ状に突設され光ディスク２８の軸孔２８ａ周縁が載置される鍔部２７ｂとを有している。そして、ターンテーブル２７の回転軸２７ａの先端部には、図示しない磁石が埋設されている。
【００１９】
また、台座部２１には、移動手段３１が配設されている。
この移動手段３１は、一対のガイドシャフト３２及び移動用電動モータ３３を備えている。
一対のガイドシャフト３２は、台座部２１の軸支された他縁から回動側の一縁へ向けた方向に軸方向を有して配設されている。さらに、移動用電動モータ３３は、出力軸の軸方向がガイドシャフト３２の軸方向に沿う状態で配設されている。この移動用電動モータ３３の出力軸の外周面には、螺旋状に図示しない係合溝が設けられている。
【００２０】
移動手段３１には、再生手段４１が配設されている。
この再生手段４１は、一対のガイドシャフト３２に架橋する状態で保持された移動保持部４２を有しており、この移動保持部４２には、図示しない光源と、この光源からの光を収束するレンズ４５と、光ディスク２８から反射された光を検出する図示しない光センサとが配設されている。
【００２１】
枠体１１には、例えば金属板状に形成され、側面部１１ａ間に架橋する状態でねじにて固定される回転子支持部材５１が設けられている。
この回転子支持部材５１には、略中央にディスク回転駆動手段２５のターンテーブル２７に対向する位置に上方に向けて凹状の支持凹部５２が設けられている。この支持凹部５２の略中央には、支持孔５３が開口形成されている。この回転子支持部材５１の支持凹部５２には、回転子５５が回転可能に載置されている。この回転子５５は、略円盤状で、外周縁が支持孔５３の周縁に係合可能に形成されている。また、この回転子５５には例えば金属板などの図示しない磁性材料が一体的に取り付けられ、回転子５５はターンテーブル２７の磁石２９の磁力にて光ディスク２８をターンテーブル２７と挾持する。
【００２２】
枠体１１には、この枠体１１の内側に支持リブ１１ｃの上方側で水平方向に進退可能に移動するディスクトレイ６１が配設されている。
このディスクトレイ６１は、例えば合成樹脂の板状に形成され、本体部２０のディスク回転駆動手段２５及び再生手段４１に対応する部分が開口形成された略長方形板状のトレイ部６２を有している。
このトレイ部６２の長手方向の一端側には、上方に向けて拡開する円形凹状で光ディスク２８が載置される載置凹部６２ａが設けられている。また、このトレイ部６２の長手方向の一縁には、化粧板５と同材質にて形成され、外装ケース２の化粧板５の窓部５ａを閉塞する長手板状の窓閉塞板部６５が着脱可能に取り付けられている。
【００２３】
枠体１１には、開閉駆動配設部１１ｄに位置して開閉駆動手段７１が配設されている。
この開閉駆動手段７１は、互いに係合して開閉駆動配設部１１ｄに回転自在に軸支された駆動伝達プーリ７２、この駆動伝達プーリ７２に係合する駆動伝達ギヤ７３、及びこの駆動伝達ギヤ７３に係合するとともにディスクトレイ６１に係合する移動ギヤ７４を有している。
【００２４】
開閉駆動手段７１は、出入用電動モータ７５を備えている。この出入用電動モータ７５の出力軸７５ａには、プーリ７６が一体的に設けられている。このプーリ７６と駆動伝達プーリ７２とには無端ベルト７７が掛け渡され、出入用電動モータ７５の駆動により、プーリ７６、駆動伝達プーリ７２、駆動伝達ギヤ７３及び移動ギヤ７４が回転し、ディスクトレイ６１が移動される。
そして、上述したディスク回転駆動手段２５、移動手段３１、再生手段４１及び開閉駆動手段７１により、本体部２０が構成される。
【００２５】
枠体１１には、回路基板８１が取り付けられている。
この回路基板８１は、枠体１１に設けられた図示しない基板取付爪部により係脱可能に取り付けられる。回路基板８１は、外装ケース２の下ケース４と略同寸法の平板状で、枠体１１の下面を閉塞して本体部２０を覆うように取り付けられる。この回路基板８１には、本体部２０の動作を制御する電気部品８２を有した制御回路が搭載されている。
回路基板８１には、貫通孔８３が設けられている。この貫通孔８３は、回路基板８１が枠体１１に取り付けられた状態で、電気部品から発生する熱を図示しない冷却ファンに送るための流路を構成する。
【００２６】
回路基板８１には、図示しない電源線や外部の各種電気機械との信号を送受信するケーブルなどが着脱可能に接続されるコネクタ部８５が設けられている。
このコネクタ部８５は、図４に示す通り、枠体１１の後端面部１１ｂの外面側に位置する状態で、外装ケース２の開口部４ｃから外部に臨む状態で配設されている。
このコネクタ部８５は、異なる種類の複数が水平方向に並んで配置されており、これらのコネクタ部８５の情報（例えば、接続対象のケーブルの種類等）を表示する表示部８５ａが折曲部３ｃの表面に形成されている。
表示部８５ａは、複数種類のコネクタ部８５に対応する上方で近接する位置に折曲部３ｃに直接刻印してもよく、あるいは、表示部８５ａを印刷したテープを折曲部３ｃに貼り付けるものでもよい。
【００２７】
〔ディスク装置の製造方法〕
次に、本実施形態のディスク装置１に用いられる外装ケース２の製造方法を説明する。
まず、上ケース３を製造するに際して、図５で示される通り、縦横寸法Ｎ１×Ｎ２の平面矩形状の板金を用意し、この板金をプレス等で所定形状にカットする。この場合、表示部８５ａをプレスと同時に又は後工程で形成してもよい。
その後、図５中想像線で示す箇所を折り曲げて上ケース３を略箱状に形成する。下ケース４も上ケース３と同様の工程で製造する。
これらの上ケース３及び下ケース４が製造されたら、予め製造された本体部２０や回路基板８１を枠体１１に取り付け、この枠体１１を下ケース４に取り付けるとともに、本体部２０の上面を覆う上ケース３を枠体１１に取り付ける。
【００２８】
〔ディスク装置の効果〕
（１）ディスク２８を回転するディスク回転駆動手段２５、ディスク２８に記録された情報を再生する再生手段４１及びこの再生手段４１をディスク２８に対して相対的に移動させる移動手段３１を備えた本体部２０と、この本体部２０を覆う外装ケース２とを備えてディスク装置１を構成し、この外装ケース２を、本体部２０と対向配置される天板部３ａと、この天板部３ａの後端縁から緩やかに傾斜して折り曲げられ本体部２０の後端部を覆う折曲部３ｃとを有する構成としたので、タワー型コンピュータのスロットにディスク装置１を差し込む際に、折曲部３ｃがいわばガイドの役割を果たすことになり、その差込作業がスムーズに行えてディスク装置１自体やスロットを破損することがない。
しかも、天板部３ａと折曲部３ｃとを有する上ケース３は、図５で示される縦Ｎ１と横Ｎ２の平面矩形状に形成された板金から形成されるので、ケースとして使用される板金の部位が少なくて済み、製造コストが低下するとともに、ディスク装置１の重量が軽くなる。つまり、本実施形態では、板金の横寸法Ｎ２は図１，２で示すケースの横寸法Ｍ２と同じ（２×Ｌ３＋Ｌ２）であるが、縦寸法Ｎ１は図１，２で示すケースの縦寸法Ｍ１より、寸法Ｎ３だけ短いので、Ｎ３×Ｎ２の面積だけ板金の材料を少なくすることができる。
【００２９】
（２）本体部２０は外部から電気や信号を送受信するケーブルが着脱可能に接続されるコネクタ部８５を備え、このコネクタ部８５の近傍に折曲部３ｃが位置するとともに、折曲部３ｃの表面にコネクタ部８５の情報を表示する表示部８５ａが形成されているから、ディスク装置１をスロットに差し込むに際して、正面でなくても、容易に表示部８５ａを見ることができるから、この点からも、スロットにディスク装置を差し込む作業を容易に行える。これに対して、図１，２で示す従来のディスク装置１０１では、上ケース１０６の天板部１０６ａと端板部１０６ｃとは直角に折れ曲がって形成されているため、端板部１０６ｃに表示されるコネクタ情報を正面からでなければ、十分に見ることができず、ディスク装置のスロットへの差込作業が煩雑となる。
【００３０】
（３）外装ケース２の上ケース３は、本体部２０の上方を覆う天板部３ａを備え、この天板部３ａから下方に向けて折り曲げて折曲部３ｃを形成しているから、上方から表示部８５ａを容易に見ることができる。
（４）折曲部３ｃは平板状に形成されているから、表示部８５ａを形成する部分を広くとれることになり、表示部８５ａを形成する作業が容易に行えるとともに、表示部８５ａが大きく表示されることで、その表示部８５ａが見やすくなる。その上、天板部３ａと折曲部３ｃとの折り曲げ作業を１回で済むため、上ケース３の製造が容易となる。
【００３１】
（５）外装ケース２を、略箱形の上ケース３と、略平板状の下ケース４とから構成したから、これらのケースの接合部分がディスク装置１の下部に位置することになり、外観を良好なものにできる。
【００３２】
〔実施形態の変形〕
なお、本発明は、上述した一実施形態に限定されるものではなく、本発明の目的を達成できる範囲で以下に示される変形をも含むものである。
【００３３】
前記実施形態では、折曲部３ｃを平板状に形成したが、本発明では、天板部３ａの後端縁から緩やかに傾斜して折り曲げられる構造であれば、その具体的な構成を問わない。例えば、図６（Ｂ）に示される通り、折曲部３ｃを途中で曲折された曲折板部としてもよく、図６（Ｃ）に示される通り、折曲部３ｃを曲面部としてもよい。図６（Ｃ）の構成では、ディスク装置１の外観を丸みを帯びたものにできるので、外観が良好となる。
【００３４】
本発明では、コネクタ部８５がディスク装置１の上部に位置する構成であれば、折曲部３ｃを下ケース４に一体形成してもよい。この場合、下方から表示部８５ａが見やすくなる。
本発明のディスク装置１としては、光ディスク２８を対象とした構成に限らず、磁気ディスク、光磁気ディスクなど、光や磁気などにより情報を再生あるいは記録可能ないずれのディスクを対象とすることができる。
【００３５】
ディスク装置１として開閉駆動手段７１により移動するディスクトレイ６１を備えた構成について説明したが、例えばディスクトレイ６１を設けず、直接光ディスク２８を化粧板５の窓部５ａから挿入して、内部に配設した回転体などにより光ディスク２８の挿入及び排出をする搬送装置を設けた構成や、ＭＤ（Ｍｉｎｉ　Ｄｉｓｋ）などのようにケース内にディスクが回転自在に収容されたものを窓部５ａから直接挿入あるいは排出する構成、あるいはディスクなどを所定のケース内に収容し、このケースを挿入あるいは排出する構成、さらには開閉駆動手段７１も備えず外装ケース２が上ケース３により本体部２０の上方を開閉可能に覆う構成で、ディスクを所定の位置に装着した後にディスクを覆うように上ケース３を回動する構成など、いずれの構成でもできる。
【００３６】
前記実施形態では、略箱状の外装ケース２内に枠体１１を包み込むように収容する構成について説明したが、枠体１１の一部が外装ケース２から露出する構成や枠体１１の一部にて外装ケース２を構成するように枠体１１の少なくとも一部が外装ケース２内に収容されて本体部２０が露出しないように覆う構成としたものでも適用できる。
【図面の簡単な説明】
【図１】従来例のディスク装置の外観を示す斜視図である。
【図２】従来例の外装ケースを構成する上ケースの展開図である。
【図３】本発明の一実施形態にかかるディスク装置の分解斜視図である。
【図４】前記実施形態のディスク装置の外観を示す斜視図である。
【図５】前記実施形態の外装ケースを構成する上ケースの展開図である。
【図６】（Ａ）は前記実施形態のディスク装置の要部を示す断面図、（Ｂ）（Ｃ）はそれぞれディスク装置の変形例を示す断面図である。
【符号の説明】
１　　　ディスク装置
２　　　外装ケース
３　　　上ケース
３ａ　　　天板部
３ｃ　　　折曲部
４　　　下ケース
２０　　　本体部
２５　　　ディスク回転駆動手段
２８　　　光ディスク
３１　　　移動手段
４１　　　再生手段
８５　　　コネクタ部
８５ａ　　　表示部
【図１】
2004110960.tif 000003
【図２】
2004110960.tif 000004
【図３】
2004110960.tif 000005
【図４】
2004110960.tif 000006
【図５】
2004110960.tif 000007
【図６】
2004110960.tif 000008